(57)【特許請求の範囲】
【請求項１】
上下面と両側面と両端面とで外界から仕切られた空間及び育成される植物を載置できる載置面を形成可能に構成された構造体であって前記上下面を形成可能な多数の上下の横桁と該上下の横桁の両端が固定された上下の縦桁と該縦桁の上下間を連結し前記両側面を形成可能なように設けられた複数の柱とを備えた骨組み構造からなる構造体と、少なくとも前記上面及び両側面を覆うように前記構造体に取り付けられる閉鎖された袋状の面状体であって閉鎖された内部に空気を導入できる空気導入用開口を備えていて前記両側面の面状体のうちの少なくとも１つが前記構造体に着脱可能に取り付けられる面状体と、を有することを特徴とする植物育成室。
【請求項２】
前記面状体は前記開口から離れた所に導入された空気を排出できる空気排出用の開口を有することを特徴とする請求項１に記載の植物育成室。
【請求項３】
前記面状体のうちの少なくとも上面及び一側面のものは透光性を有することを特徴とする請求項１に記載の植物育成室。
【請求項４】
前記構造体に取り付けられた散水用ノズルを有することを特徴とする請求項１に記載の植物育成室。
【請求項５】
前記上下面のうちの下面に配設された温水用パイプを有することを特徴とする請求項１に記載の植物育成室。
【発明の詳細な説明】
【０００１】
【発明の属する技術分野】
本発明は、接ぎ木の活着促進等、植物の育成に適した環境を与える植物育成室に関する。
【０００２】
【従来の技術】
例えばトマトや胡瓜等の母菜類では、幼苗時に耐病性等のあるカボチャ等を台木とし、これに目的とする植物を穂木として接ぐ接ぎ木による栽培が行われることが多い。このような接ぎ木苗は、外部環境に曝されると枯死するので、温度及び湿度の適当な環境に数日間置いて活着されている。そして最近では、このような活着を大量に効率良く行うために、プレハブ式の人工気象庫等の温度、湿度、光等を活着に適した条件に制御できる装置が開発されている。このような装置を用いると高い活着率を得ることができるが、装置が大掛かりになって接ぎ木苗の生産コストが高くなる。又、このような装置では蛍光灯等の弱い人工光源を使用するため、活着中に植物を徒長させ易いという問題がある。
【０００３】
なお、上記の目的のために、接ぎ木苗を活着させる部屋を２重壁構造にして、二重壁内を空調することにより、直接室内を空調するよりも活着に適した条件を実現できるようにした接ぎ木苗順化装置が提案されている（特開平３ー７４６４１０号公報参照）。しかしながら、この装置によっても、上記の従来のものと同様に、構造が複雑でコスト高になるという問題や人工光源を用いていることによる問題は解決されていない。
【０００４】
【発明が解決しようとする課題】
本発明は従来技術に於ける上記問題を解決し、簡易で軽量な構造で自然光の利用も可能な植物育成室を提供することを課題とする。
【０００５】
【課題を解決するための手段】
本発明は上記課題を解決するために、請求項１の発明は、植物育成室が、上下面と両側面と両端面とで外界から仕切られた空間及び育成される植物を載置できる載置面を形成可能に構成された構造体であって前記上下面を形成可能な多数の上下の横桁と該上下の横桁の両端が固定された上下の縦桁と該縦桁の上下間を連結し前記両側面を形成可能なように設けられた複数の柱とを備えた骨組み構造からなる構造体と、少なくとも前記上面及び両側面を覆うように前記構造体に取り付けられる閉鎖された袋状の面状体であって閉鎖された内部に空気を導入できる空気導入用開口を備えていて前記両側面の面状体のうちの少なくとも１つが前記構造体に着脱可能に取り付けられる面状体と、を有することを特徴とする。
【０００６】
請求項２の発明は、上記に加えて、前記面状体は前記開口から離れた所に導入された空気を排出できる空気排出用の開口を有することを特徴とする。
【０００７】
請求項３の発明は、請求項１の発明の特徴に加えて、前記面状体のうちの少なくとも上面及び一側面のものは透光性を有することを特徴とする。
【０００８】
請求項４の発明は、請求項１の発明の特徴に加えて、前記構造体に取り付けられた散水用ノズルを有することを特徴とする。
【０００９】
請求項５の発明は、請求項１の発明の特徴に加えて、前記上下面のうちの下面に配設された温水用パイプを有することを特徴とする。
【００１０】
【発明の実施の形態】
図１及び図２は本発明を適用した植物育成室の構成例を示し、図１では紙面に直角である長さ方向に長く形成される植物育成室の間口部分の構造を示している。
植物育成室は、１１乃至１５の骨組み構造から成る構造体１、面状体としてのシート状の袋２、架台３等によって構成されている。構造体１は、長さ方向に適当なピッチで配列されたアングル材から成る上下の横桁１１、１２、下横桁１２に固定され長さ方向に延設された角型パイプから成る下縦桁１３、長さ方向に適当なピッチで固定配列され上下間を連結する角型パイプから成る柱１４、及び上の部材に固定された角型パイプから成る上縦桁１５で形成されている。
【００１１】
このような構造体１によれば、それぞれ、上下横桁１１、１２又はこれに加えて上下縦桁１５、１３で上下面である天井面及び床面、柱１４又はこれに加えて上下縦桁１５、１３で両側面、及び、長さ方向の両端の上下横桁１１、１２及び柱１４で両端面である長さ方向の両端になる前後面を形成できる。従って、これらの構造体を利用して仕切部材を取り付ければ、外界から仕切られた空間としての育成室４を形成できる。本例では、床面に対して下横桁１２上に発泡スチロールから成る床板５を設けると共に、前後面に対しては、上下横桁間に木材等でできた壁板６（図２（ａ））やビニールシート等を取り付けることにより、これらの面を外界から仕切っている。
【００１２】
構造体１は、育成される植物を載置できる載置面を形成できるが、本例では、下縦桁１３の上面が、育成される植物として活着されるべき図示しない接ぎ木苗等の植えられたトレイ１００を載置できる載置面１３ａになっている。但し、下縦桁又は下横桁を介して別の支持面を形成し、この上にトレイ１００又は鉢等を介して植物を載置するようにしてもよい。
【００１３】
袋２は、閉鎖された袋状になっていて、本例では構造体１の上面及び両側面をそれぞれ独立して覆うように、上及び左右の袋２１、２２、２３がそれぞれ独立して取り付けられている。その結果、育成室４を、前記床板５、壁板６及び袋２１、２２、２３によって外界から仕切ることができる。なお、袋２は少なくとも上面及び両側面に用いられるが、植物育成室の長さ、設置場所や使用条件等によっては、前後面もこれで仕切るようにしてもよい。
【００１４】
袋２１〜２３は、それぞれ前面及び後面に互いに離れた位置に空気導入用開口２１ａ〜２３ａ及び空気排出用開口２１ｂ〜２３ｂを備えていている。両側面の袋２２又は２３のうちの少なくとも１つは着脱可能に取り付けられるが、本例では、図２（ｃ）にも示す如く、全ての袋２１〜２３の端（袋２３では一端だけ）に取り付け金具２４を取り付け、これらを構造体１に固定された固定具２５に挿抜自在にすることにより、袋２１〜２３を構造体１にワンタッチで着脱できるようにしている。但し、袋２１及び２２は必ずしも着脱可能でなくてもよい。
【００１５】
袋２３において取り付け金具２４の装着されている側の反対側端の部分には、図２（ｄ）に示すように、下縦桁１３に巻取りローラ２６が固定されていて、これに袋２３の端が巻き掛けられている。その結果、金具２４を固定具２５から抜き出せば、袋２３を巻取りローラ２６で巻き取ることができ、この一側面を外界から仕切られた状態から解放し、植物の出し入れ等に用いることができる。
【００１６】
袋２１〜２３は、例えばハウス栽培等に用いられるビニールシートを重ね合わせて周囲をシールして形成されていて、光透過性を備えている。従って、育成室３内を蛍光灯等で照明する必要はない。なお、植物育成室が配置されたときに太陽光の当たらない側の袋は、必ずしも透光性を持つ必要はない。
【００１７】
架台３は、作業性を考慮して例えば８００ｍｍ程度の適当な高さにされる。本例では構造体と一体的に形成されているが、別体であってもよい。又、架台３にキャスター等を設け、植物育成室全体を移動可能に構成してもよい。本発明の植物育成室では、袋と簡易な構造体を用いて全体を軽量化しているので、このような移動性が容易に達成される。
【００１８】
育成室４内には、散水用のノズル７が上横桁１１に適当なピッチで取り付けられている。又底板５上には、温水を流すためのパイプ８が長さ方向に６本並設されている。６本のパイプ８は、前後端で図示しないヘッダーによって結合されていて、これに外部から温水供給管及び戻り管が接続されるようになっている。
【００１９】
袋２１〜２３の空気導入用開口２１ａ〜２３ａには、例えば図において二点鎖線で示す如く、植物育成室の前面側に配置された空調装置２００からフレキシブルダクト２０１が接続され、袋２１〜２３内に空調された空気が供給される。この空気は、後面側の排出用開口２１ｂ〜２３ｂから連続的に排出される。
【００２０】
開口２１ａ〜２３ａとダクト２０１の端部とは、適当な接続部材によってワッタッチで接続可能なように形成されることが望ましい。なお、生育する植物の種類、外気や日照等の条件によっては、必ずしも空調された空気を供給しつつ排出する必要はなく、袋内に空調した空気又は空調しない空気を封入し、空気袋の断熱効果のみを利用した使用方法も可能である。そのため、開口２１ａ〜２３ａ及び２１ｂ〜２３ｂには、これらを閉鎖する蓋を着脱できることが望ましい。なおこのように空気を封入する目的のものでは、開口２１ａ〜２３ａのみを設け、これらを空気の導入及び排出に兼用してもよい。但し、袋内の空気の迅速な排出のために、前後面等に前記開口２１ａ、２１ｂ等の他に追加の閉鎖可能な開口を設けるようにしてもよい。
【００２１】
以上のような植物育成室は次のように使用される。
袋２３の上端の取り付け金具２４が固定具２５から取り外され、袋２３が巻取りローラ２６で下端側に巻き取られた状態、即ち一側面が外界に解放された状態で、接ぎ木苗の植えられたトレイ１００を下縦桁１３上に幅方向に２列づつ長さ方向に多数列並べて行く。なお、巻取りローラ２６を設けない場合には、袋２３の上端のみを取外し下端を結合した状態で袋２３を下に垂らしておく。又、下でＵ字状に折り返したり、上にはね上げたり、つづら折りにする等、種々の方法を適宜用いることができる。巻取りローラ２６を上に付け、上に巻き取るようにしてもよい。これらの何れの場合にも、トレイの出し入れ作業は可能である。
【００２２】
育成室３は、例えば幅１．３ｍで長さ１６ｍ程度に形成されていて、長さ６００ｍｍで幅２００ｍｍ程度のトレイが２個づつ８０列合計１６０個程度配置可能である。但し、家庭用その他の小規模のものでは、幅及び長さが１ｍ程度であってもよい。このように、袋２３の巻取りによって一側面を全面的に解放すれば、引戸とレール又は扉と回転支持部のような複雑な構造が全く不要になると共に、作業が極めて行ない易くなり、更に扉の場合のように広い解放用のスペースを必要としない。
【００２３】
トレイの積み込みを終了すると、ローラ２６に巻き取られた袋２３をローラから引出し、長さ方向に断続的に設けられた取り付け金具２４をその方向にワンタッチで固定具２５に装着して行く。このような作業は、扉が設けられている場合にそれを閉じる作業と変わらない程度に容易である。
【００２４】
袋２３を構造体１に装着すると、これと共に既に装着されている袋２１、２２と空調装置２００との間をダクト２０１で接続し、空調装置を運転する。これにより、空調された空気が袋２１〜２３内に供給され、内部に空気が充満し、その空気圧によって袋が図１に示す如く膨れる。そして、袋の内側が上横桁１１及び柱１４に接触し、袋はこれらに支持された状態で構造体の上面及び両側面を閉鎖する。
【００２５】
供給された空気は、袋内を長さ方向に通過して排気用開口２１ｂ〜２３ｂから排出されるが、連続的な空気の供給と排出時の空気抵抗により、袋の適当な膨張状態が維持される。空調装置２００の送風機の容量や圧力、給気用及び排気用開口のサイズや個数等は、このような運転状態が満たされるように定められる。その結果、袋内のスペースが断熱兼冷房もしくは暖房効果を発揮して、極めて簡易な方法により、育成室４内の温度を間接的に目的とする温度に維持することができる。
【００２６】
空調装置の運転と共に、適当なタイミングで加湿ノズル７から水を噴射させ、育成室４内を接ぎ木苗の活着に適した温湿度に調整する。この水噴射は、夏季において育成室４内の温度の高いときには、噴射された水の蒸発潜熱によって室内を冷却する作用も成す。なお、床面は僅かに傾斜していて、その下方側には図示しない排水溝が設けられていて、加湿や散水のために発散された水が回収されるようになっている。一方冬季には、温水パイプ８に温水を流す。この温水供給によれば、育成室４内を効果的に暖房できると共に、その熱で床面上や周囲の水分を蒸発させて加湿効果を得ることもできる。
【００２７】
このような状態で一定期間経過して接ぎ木苗の養生が終了すると、空調装置の運転を停止し、袋２３内の空気をある程度排出した後、上端の取り付け金具２４を固定具２５から取り外し、袋２３を巻取りローラ２６で巻き取りつつ更に空気を排出する。袋２３の巻取りが終了すると、その開放面からトレイ１００を取り出す。このような作業も簡単に行うことができる。
以上のように本発明の植物育成室によれば、重量が軽く簡単な構造で作業性も良い装置により、育成する植物に適した環境を簡易に提供することができる。
【００２８】
【発明の効果】
以上の如く本発明によれば、請求項１の発明においては、内部を仕切り植物を載置できる構造体の少なくとも上面及び両側面を袋状の面状体で覆って植物育成室を形成するので、構造の簡素化と軽量化を図ることができる。即ち、このように構成すると、両端面と床面に対しては通常の板材等による固定構造物を用いることになるが、他の３面を、例えばビニールシートの袋等で形成された簡易で軽量な仕切り構造にすることができと共に、上面や両側面を軽量化することによって構造体自体も簡素化及び軽量化が図られ、植物育成室を全体として極めて簡素で軽い構造にすることができる。特に、両端面に対して両側面が十分長い場合にはその効果が大きくなる。又、軽量化が図られることにより移動も容易になり、装置の利用性が向上させることができる。なお、両端面も面状体で仕切るようにしてもよいことは勿論である。
【００２９】
この袋状の面状体は、空気導入用の開口を備えているので、この開口を介して袋内に空気を出し入れすることができる。その結果、空気を入れた状態で開口を閉鎖すれば、面状体が断熱空間を形成し、内部の温度条件を維持することができる。
【００３０】
又、両側面の面状体のうちの少なくとも１つを着脱可能にしているので、これを着脱することにより、この面を開放／閉鎖し、開放時に植物の出し入れができと共に、閉鎖時に内部の断熱性を維持できる。この着脱作業は、面状体の内部の空気を抜いて行うことができるので、容易である。従って、従来の装置のように、断熱二重壁や断熱扉のような大層な構造物が不要になり、簡易に開閉性と断熱性とを同時に得ることができる。又、面状体による仕切りという簡易な構造を用いるため、この面の長さを長くすることが容易になる。開放面が大きくなれば、作業性が良くなるので、例えば育成室内において長さ方向に人の歩くスペースを設けるような必要がなくなり、内部スペースの全てを有効に利用できる。
【００３１】
請求項２の発明においては、面状体が空気導入用開口から離れた所に導入された空気を排出できる空気排出用の開口を有するので、両開口により空調された空気を供給しつつ排出するようにすれば、空調効果が生じて育成室内を間接的に目的とする温度にすることができ、例えば接ぎ木苗の活着に適した温度条件を達成できる。
【００３２】
請求項３の発明においては、面状体のうちの少なくとも上面と一側面のものが透光性を有するので、太陽光を取り入れて接ぎ木苗の活着等を行いその徒長を防止する等、植物の育成に最適な条件を与えることができると共に、人工光を発生させるためのエネルギーを節約することができる。
【００３３】
請求項４の発明においては、散水用ノズルを設けるので、育成室内を開放することなく植物に水を与え、生育条件の連続性の確保と省力化を図ることができる。又、これにより育成室内を加湿することができる。更に、夏季の温度上昇時には、散水による潜熱冷却効果を利用することができる。
【００３４】
請求項５の発明においては、床面に温水用パイプを配設するので、育成室内を効果的に暖房すると共に、周辺の水の加熱により、補助的な加湿効果を得ることができる。
【図面の簡単な説明】
【図１】本発明を適用した植物育成室の全体構造を示す正面図である。
【図２】上記装置の各部分を示し、（ａ）は構造体の側面図、（ｂ）は構造体の平面図、（ｃ）は袋係止部分の構造を示す正面図、そして（ｄ）は袋の巻取りローラ部分の構造を示す正面図である。
【符号の説明】
１（１１〜１５）        構造体
２（２１〜２３）        袋（面状体）
４                      育成室（外界から仕切られた空間）
６                      散水用ノズル
７                      温水用パイプ
１３ａ                  載置面
２１ａ、２２ａ、２３ａ  空気導入用開口
２１ｂ、２２ｂ、２３ｂ  空気排出用開口
【図１】
0003872550.tif 000002
【図２】
0003872550.tif 000003